(57)【要約】【課題】イメージセンサーに対して読取対象を移動させる場合であっても、読取精度の低下を防止することができる読取装置及び読取方法を提供する。【解決手段】イメージセンサー（３２）を、所定のタイミングで所定の移動量、透光部材（１４）に対して移動させるイメージセンサー移動手段を備えたことを特徴とする。【選択図】図３
2011160252.tif 000002
【特許請求の範囲】
【請求項１】
所定方向に移動する読取対象を支持する筐体と、前記筐体に設けられた開口部と、前記開口部に配置され、前記読取対象の読取時に該読取対象と摺接し、光を透過する透光部材と、前記筐体内部に配置され、前記読取対象に反射された光を前記透光部材を介して検出するイメージセンサーと、を備えた読取装置であって、
前記イメージセンサーを、所定のタイミングで所定の移動量、前記透光部材に対して移動させるイメージセンサー移動手段を備えたことを特徴とする読取装置。
【請求項２】
前記読取対象を前記イメージセンサーの上流側から下流側へ搬送する搬送部を備え、
前記イメージセンサー移動手段は、前記イメージセンサーを前記透光部材に対して前記下流側へ移動させることを特徴とする請求項１に記載の読取装置。
【請求項３】
前記イメージセンサー移動手段は、前記読取対象の読取数及び搬送量の少なくとも一方を計測して記録する計数部と、前記イメージセンサーを移動させる駆動部と、前記読取数及び前記搬送量の少なくとも一方により前記所定のタイミングを規定して、前記駆動部を制御する制御部と、を有することを特徴とする請求項２に記載の読取装置。
【請求項４】
前記制御部は、前記所定の移動量を前記読取数及び前記搬送量の少なくとも一方により規定して、前記駆動部を制御することを特徴とする請求項３に記載の読取装置。
【請求項５】
所定方向に移動する読取対象を支持する筐体と、前記筐体に設けられた開口部と、前記開口部に配置され、前記読取対象の読取時に該読取対象と摺接し、光を透過する透光部材と、前記筐体内部に配置され、前記読取対象に反射された光を前記透光部材を介して検出するイメージセンサーと、を備えた読取装置を用いた読取方法であって、
前記イメージセンサーを、所定のタイミングで所定の移動量、前記透光部材に対して移動させることを特徴とする読取方法。
【発明の詳細な説明】
【技術分野】
【０００１】
本発明は、読取装置及び読取方法に関するものである。
【背景技術】
【０００２】
従来から、透明原稿台に載置した透過原稿を読み取る画像読取装置が知られている（例えば、特許文献１参照）。特許文献１の読取装置は、原稿台ガラスに原稿をセットし、コンタクトイメージセンサーを原稿台ガラスに平行に走査することにより、原稿に記載された画像を読み取る。また、イメージセンサーを静止させ、読取原稿を搬送することで、読取原稿に記載された画像を読み取る読取装置が知られている。
【先行技術文献】
【特許文献】
【０００３】
【特許文献１】特開２００８−３５１７２号公報
【発明の概要】
【発明が解決しようとする課題】
【０００４】
しかしながら、イメージセンサーを静止させた状態で、読取対象を移動させる読取装置の場合には、読取対象とイメージセンサーとの間に配置された透光部材と読取対象とが摺接するという課題がある。従来の読取装置では、透光部材としてガラス等の比較的硬度が高い材料が用いられているが、その代替として樹脂等の比較的硬度が低い材料を用いる必要がある場合がある。透光部材として樹脂等の比較的硬度が低い材料を用いる場合、透光部材と読取対象とが繰り返し摺接することで、透光部材にキズがつくなどして、読取対象の読取精度が低下する場合がある。
【０００５】
そこで、本発明は、イメージセンサーに対して読取対象を移動させる場合であっても、読取精度の低下を防止することができる読取装置及び読取方法を提供するものである。
【課題を解決するための手段】
【０００６】
上記の課題を解決するために、本発明の読取装置は、所定方向に移動する読取対象を支持する筐体と、前記筐体に設けられた開口部と、前記開口部に配置され、前記読取対象の読取時に該読取対象と摺接し、光を透過する透光部材と、前記筐体内部に配置され、前記読取対象に反射された光を前記透光部材を介して検出するイメージセンサーと、を備えた読取装置であって、前記イメージセンサーを、所定のタイミングで所定の移動量、前記透光部材に対して移動させるイメージセンサー移動手段を備えたことを特徴とする。
【０００７】
このように構成することで、移動する読取対象との摺接により、透光部材のイメージセンサーと読取対象との間の部分の光の透過率が、許容できる範囲を超えて低下する前に、イメージセンサー移動手段によって、イメージセンサーを透光部材に対して移動させ、読取対象に反射された光を、透光部材の光の透過率が高い部分を介して、イメージセンサーにより検出することができる。したがって、読取対象の読み取り時にイメージセンサーに対して読取対象を移動させる場合であっても、読取精度の低下を防止することができる。
【０００８】
また、本発明の読取装置は、前記読取対象を前記イメージセンサーの上流側から下流側へ搬送する搬送部を備え、前記イメージセンサー移動手段は、前記イメージセンサーを前記透光部材に対して前記下流側へ移動させることを特徴とする。
【０００９】
このように構成することで、透光部材の光の透過率が低下した部分が、読取対象の搬送方向の上流側から下流側へ徐々に拡大していく場合であっても、イメージセンサーを光の透過率が低下した部分の下流側へ配置することができる。
【００１０】
また、本発明の読取装置は、前記イメージセンサー移動手段は、前記読取対象の読取数及び搬送量の少なくとも一方を計測して記録する計数部と、前記イメージセンサーを移動させる駆動部と、前記読取数及び前記搬送量の少なくとも一方により前記所定のタイミングを規定して、前記駆動部を制御する制御部と、を有することを特徴とする。
【００１１】
このように構成することで、計数部によって計測した読取数及び搬送量の少なくとも一方に基づいて、制御部により駆動部を制御して、読取精度の低下が防止できる所定のタイミングでイメージセンサーを移動させることができる。
【００１２】
また、本発明の読取装置は、前記制御部は、前記所定の移動量を前記読取数及び前記搬送量の少なくとも一方により規定して、前記駆動部を制御することを特徴とする。
【００１３】
このように構成することで、計数部によって計測した読取数及び搬送量の少なくとも一方に基づいて、制御部により駆動部を制御して、読取精度の低下が防止できる所定の移動量でイメージセンサーを移動させることができる。
【００１４】
また、本発明の読取方法は、所定方向に移動する読取対象を支持する筐体と、前記筐体に設けられた開口部と、前記開口部に配置され、前記読取対象の読取時に該読取対象と摺接し、光を透過する透光部材と、前記筐体内部に配置され、前記読取対象に反射された光を前記透光部材を介して検出するイメージセンサーと、を備えた読取装置を用いた読取方法であって、前記イメージセンサーを、所定のタイミングで所定の移動量、前記透光部材に対して移動させることを特徴とする。
【００１５】
このように読取を行うことで、移動する読取対象との摺接により、透光部材のイメージセンサーと読取対象との間の部分の光の透過率が、許容できる範囲を超えて低下する前に、イメージセンサーを透光部材に対して移動させ、読取対象に反射された光を、透光部材の光の透過率が高い部分を介してイメージセンサーにより検出することができる。したがって、イメージセンサーに対して読取対象を移動させる場合であっても、読取精度の低下を防止することができる。
【図面の簡単な説明】
【００１６】
【図１】本発明の実施形態における読取装置の平面図である。
【図２】図１に示す読取装置の斜視図である。
【図３】（ａ）〜（ｄ）は、読取部の配置を示す模式断面図である。
【図４】図１に示す読取装置のシステム構成を示す概略構成図である。
【発明を実施するための形態】
【００１７】
以下、本発明の読取装置及び読取方法の実施形態について、図面を用いて詳細に説明する。本実施形態では、読取対象を静止させた状態でイメージセンサーを走査させる読取方法と、イメージセンサーを静止させた状態で読取対象を移動させる読取方法の二つの異なる読取方法を実行することができる読取装置について説明する。
【００１８】
図１は、本実施形態の読取装置の平面図である。図２は、図１に示す読取装置の斜視図である。図３は、図１に示す読取装置が備える読取部の配置を示す模式的な断面図である。図４は、図１に示す読取装置のシステム構成の概略を示す構成図である。
【００１９】
図１及び図２に示すように、読取装置ＳＣＮは、読取対象である原稿を支持する原稿支持部１と、原稿支持部１に開閉可能に設けられたカバー部２と、を備えている。
原稿支持部１の内部には、イメージセンサーを備える読取部３と、読取部３を駆動させる駆動部４とが設けられている。また、図１〜図３では図示を省略しているが、読取装置ＳＣＮは、図４に示すように、原稿を搬送する搬送部５と、原稿の読取数及び搬送量を計測して記録する計数部６と、読取装置ＳＣＮの各部を制御する制御部７とを備えている。
【００２０】
図１及び図２に示すように、原稿支持部１は、原稿を支持する原稿支持面１ａに、大小二つの矩形状の第１開口部１１及び第２開口部１２が設けられた筐体１３を有している。読取部３は、第１開口部１１の形成領域内の位置Ｐ１と第２開口部１２の一方の外縁にかかる位置Ｐ２との間の範囲Ｒ内で移動可能に設けられている。読取部３の移動方向の第１開口部１１の長さＬ１は、同方向の第２開口部１２の長さＬ２よりも短くなっている。第１開口部１１の同方向の長さＬ１は、例えば読取部３の同方向の長さＬ３の等倍〜数倍程度になっている。第２開口部１２は、例えば読取可能な原稿の大きさよりも一回り大きい寸法に設けられている。
【００２１】
第１開口部１１には、光を透過する透明な樹脂等の材料からなる透光シート１４が配置されている。また第２開口部１２には、光を透過する透明なガラス等の材料からなる載置ガラス１５が配置されている。第１開口部１１に配置された透光シート１４は、後述する搬送読取モードにおける原稿の読取時に、原稿と摺接するようになっている。載置ガラス１５は、後述する走査読取モードにおける原稿の読取時に、原稿を載置して支持するようになっている。
【００２２】
図３（ａ）〜図３（ｄ）に示すように、読取部３は、光源３１及びイメージセンサー３２と、これらを保持するキャリッジ３３とを有している。光源３１としては、例えば、Ｒ、Ｇ、Ｂ、三色のＬＥＤが用いられる。光源３１は、射出したＲ，Ｇ，Ｂの光を、透光シート１４又は載置ガラス１５を透過させて原稿Ｓに照射するようになっている。イメージセンサー３２としては、例えばコンタクトイメージセンサー（ＣＩＳ）が用いられる。ＣＩＳは、例えば原稿Ｓと等幅のセンサーを用い、光源３１から射出され、原稿Ｓにより反射され、透光シート１４又は載置ガラス１５を透過した光を、各画素に対応する一列に並んだ等倍レンズのアレイを使って結像させることで、原稿Ｓの画像や文字等を読み取るようになっている。
【００２３】
図１及び図２に示すように、駆動部４は、読取部３のキャリッジ３３に固定されたベルト４１と、ベルト４１を駆動する一対のプーリー４２，４３と、プーリー４２を駆動するモーター４４と、キャリッジ３３をガイドするガイドレール４５とを有している。ベルト４１は、筐体１３内部の両側に配置された一対のプーリー４２，４３に掛け渡され、読取部３の移動方向とほぼ平行に配置されている。ガイドレール４５は、両端部が筐体１３に固定され、読取部３の移動方向とほぼ平行に配置されている。ガイドレール４５には、キャリッジ３３に設けられた溝状の係合摺動部３３ａが係合するようになっている。ガイドレール４５は、係合摺動部３３ａが係合した状態で摺動することで、キャリッジ３３の移動方向を規制するようになっている。
【００２４】
カバー部２は、ヒンジ部２１を介して原稿支持部１に取り付けられ、原稿支持部１に対して０°〜約９０°の角度範囲で開閉可能に設けられている。また、本実施形態のカバー部２は、原稿を搬送する搬送部５を備えている（図１〜図３では、図示省略）。
【００２５】
搬送部５は、例えば不図示の複数の搬送ローラー及び従動ローラーと、原稿の搬送経路に沿って配置され、原稿の搬送方向を規定する不図示の原稿ガイドと、を有している。複数の搬送ローラー及び従動ローラーは、原稿の搬送経路に沿って配置され、搬送ローラーと従動ローラーとの間に原稿を挟持した状態で搬送ローラーが回転することで、原稿を原稿ガイドに沿って搬送するようになっている。搬送部５は、カバー部２の不図示の原稿トレイから供給された原稿を、搬送ローラーと従動ローラーとにより搬送する。そして、図３（ｂ）及び図３（ｃ）に示すように、原稿Ｓを原稿支持部１の第１開口部１１上を通過するように移動させた後、カバー部２に設けられた不図示の原稿排出トレイに排出するようになっている。
【００２６】
また、図４に示すように、搬送部５には、原稿Ｓの読取数及び搬送量を計測する計数部６が設けられている。ここで、読取数とは、所定の期間内に搬送部５によって搬送し、第１開口部１１上を通過させた原稿Ｓの総数である。また、搬送量とは、所定の期間内に搬送部５によって搬送した原稿Ｓの搬送方向の長さの総和である。計数部６は、例えば搬送部５を通過する原稿Ｓを検出するセンサー、搬送した原稿Ｓの長さを検出するセンサー、搬送ローラーの回転数を計測するエンコーダー、及びメモリ等により構成されている。
【００２７】
図４に示す制御部７は、例えば複数のメモリ及び演算部を備えている。制御部７は、搬送部５に制御信号Ｃ５を送信することで、搬送部５に原稿Ｓを搬送させて、第１開口部１１上に原稿Ｓを通過させるようになっている。また、制御部７は、搬送部５から搬送状態等の出力信号Ｄ５を受信して記録するようになっている。また、制御部７は、計数部６に制御信号Ｃ６を送信して制御すると共に、計数部６から搬送数（読取数）及び搬送量等の出力信号Ｄ６を受信して記録するようになっている。
【００２８】
また、制御部７は、駆動部４に制御信号Ｃ４を送信して駆動させることで読取部３を移動させると共に、駆動部４から読取部３の位置情報等の出力信号Ｄ４を受信するようになっている。また、制御部７は、読取部３の光源３１及びイメージセンサー３２に制御信号Ｃ３を送信して制御すると共に、読取部３からイメージセンサー３２の出力信号Ｄ３を受信するようになっている。
【００２９】
また、制御部７は、例えば不図示の操作パネルのボタン操作等により、走査読取モードと搬送読取モードとを切り替えるようになっている。図３（ｄ）に示すように、走査読取モードでは、制御部７は、原稿Ｓを第２開口部１２の載置ガラス１５に載置した状態で、読取部３を載置ガラス１５と平行に原稿Ｓの長さ方向の一端から他端まで走査させて、原稿Ｓを読み取る。搬送読取モードでは、図３（ｂ）に示すように、制御部７は、読取部３を第２開口部１２に配置された透光シート１４の下方に移動させ、搬送部５により原稿Ｓを搬送して、原稿Ｓを読取部３に対して移動させながら読み取りを行なう。
【００３０】
また、制御部７は、搬送読取モードにおいて、計数部６から受信した読取数及び搬送量が予め記録しておいた数値に達したら、読取部３を移動させ、イメージセンサー３２を読取数及び搬送量に応じた所定の移動量、第１開口部１１の透光シート１４に対して移動させるように設定されている。すなわち、制御部７は、計数部６から受信した読取数及び搬送量に基づいて、イメージセンサー３２を透光シート１４に対して移動させる所定のタイミングを規定している。
【００３１】
具体的には、予め読取装置ＳＣＮの試験機等により試験を行って、イメージセンサー３２を移動させる所定のタイミングを規定する読取数及び搬送量を決定し、制御部７に記録しておく。以下にその手順を説明する。
まず、例えば読取装置ＳＣＮの操作パネルの操作ボタンを操作して、制御部７を搬送読取モードに設定する。そして、制御部７により駆動部４を駆動させ、図３（ａ）に示す初期位置に配置された読取部３を、図３（ｂ）に示す最初の読取位置に移動させる。
【００３２】
次に、制御部７により搬送部５を駆動させ、搬送部５によって原稿Ｓを繰り返し搬送し、原稿Ｓを原稿支持部１の第１開口部１１に配置された透光シート１４に繰り返し摺接させる。この際、原稿Ｓの搬送毎に、制御部７により読取部３のイメージセンサー３２の出力信号Ｄ３を受信し、イメージセンサー３２が所定の読取精度を満足しているか、検証する。そして、イメージセンサー３２が所定の読取精度を満足しなくなるまで、原稿Ｓを繰り返し搬送して、原稿Ｓを透光シート１４に繰り返し摺接させる。
【００３３】
ここで、イメージセンサー３２を移動させる所定のタイミングを読取数により規定する場合には、制御部７に所定の読取精度を満足しなくなった時の原稿Ｓの搬送数（読取数）を記録する。また、複数の読取装置ＳＣＮの試験機により同様の試験を行って、イメージセンサー３２が所定の読取精度を満足しなくなる読取数を検証する。そして、読取装置ＳＣＮの製造誤差等によらず、所定の読取精度を満足する読取数を求める。このように求めた読取数を、イメージセンサー３２を移動させる第１のタイミングを規定する第１の読取数として、制御部７に記録する。
【００３４】
なお、読取可能な原稿Ｓのサイズが複数存在する場合には、イメージセンサー３２を移動させる所定のタイミングを搬送量により規定することが好ましい。ここで、搬送量とは、搬送した原稿Ｓの搬送方向の長さの総和である。イメージセンサー３２を移動させる所定のタイミングを搬送量により規定する場合には、制御部７にイメージセンサー３２が所定の読取精度を満足しなくなる搬送量を検証する。そして、読取装置ＳＣＮの製造誤差等によらず、所定の読取精度を満足する搬送量を求める。このように求めた搬送量を、イメージセンサー３２を移動させる第１のタイミングを規定する第１の搬送量として、制御部７に記録する。
【００３５】
ここで、搬送量は、例えば原稿Ｓの搬送毎に、制御部７に原稿Ｓの搬送方向の長さを記録しておき、原稿Ｓのサイズ毎に原稿Ｓの搬送方向の長さとそれぞれの読取数を掛け合わせて、それらを合計することで算出することができる。また、搬送量は、搬送ローラーの径と回転数、原稿Ｓを検知するセンサー等により求めてもよい。
【００３６】
次いで、制御部７により駆動部４を駆動させ、図３（ｃ）に示すように、読取部３を、例えば駆動部４の分解能分、透光シート１４に対して原稿Ｓの搬送方向の下流側に移動させる。次いで、制御部７は、搬送部５を駆動させて原稿Ｓを搬送し、イメージセンサー３２の出力信号を受信して、所定の読取精度が得られているか否かを検証する。
【００３７】
制御部７は、読取部３の移動後に、イメージセンサー３２が所定の読取精度を得られていれば、読取部３の最初の読取位置からの移動量を記録する。制御部７は、読取部３の移動後に、所定の読取精度が得られていなければ、イメージセンサー３２が所定の読取精度を得られるまで、読取部３の移動と原稿Ｓの読み取りとを繰り返した後、読取部３の最初の読取位置から所定の読取精度を満足する読取位置までの移動量を記録する。
【００３８】
制御部７は、このようにして得られた最初の読取位置から読取精度を満足する読取位置までの移動量を、読取部３を移動させる際の第１の移動量として記録する。すなわち、本実施形態では、イメージセンサー３２の所定の移動量を、読取数及び搬送量によって変化する透光シート１４の状態（透光シート１４の光の透過率が低下した部分の読取部３の移動方向の長さ）に基づいて規定している。
【００３９】
読取装置ＳＣＮは、カバー部２に設けられた不図示の原稿押さえ部等の構造によっては、原稿Ｓが搬送方向の上流側において透光シート１４に押圧されやすい場合がある。この場合、透光シート１４は原稿Ｓの搬送方向の上流側の部分の光の透過率が低下しやすくなる。また、原稿Ｓが繰り返し搬送され、読取装置ＳＣＮの各部と摺動することで、例えばカバー部２の原稿押さえ部等が磨耗し、透光シート１４の光の透過率が低下した部分が、徐々に原稿Ｓの搬送方向の下流側に拡大していく傾向がある。
【００４０】
そこで、読取部３を、図３（ｂ）に示す最初の読取位置から、図３（ｃ）に示すイメージセンサー３２が所定の読取精度を満足する第２の読取位置（透光シート１４の光の透過率が低下していない部分に対向する位置）に移動させた後、読取部３を静止させた状態で、イメージセンサー３２が再び所定の読取精度を満足しなくなるまで、原稿Ｓの搬送と読み取りを繰り返す。
【００４１】
そして、制御部７により、イメージセンサー３２が、再び所定の読取精度を満足しなくなった際の読取数及び搬送量を記録する。また、複数の試験機により同様の試験を行って、イメージセンサー３２が再び所定の読取精度を満足しなくなる読取数及び搬送量を検証する。そして、読取部３を第２の読取位置に配置した状態で、読取装置ＳＣＮの製造誤差等によらず、所定の読取精度を満足する読取数及び搬送量を求める。このように求めた読取数及び搬送量を、イメージセンサー３２を移動させる第２のタイミングを規定する第２の読取数及び搬送量として、制御部７に記録する。
【００４２】
その後、読取部３を、上記の最初の読取位置から第２の読取位置へ移動させる際と同様に、第２の位置から原稿の搬送方向の下流側へ移動させていく。そして、上記の最初の読取位置から第２の読取位置を決定する場合と同様に、第３の読取位置を決定する。そして、第２の読取位置から第３の読取位置までの移動量を求め、読取部３を移動させる際の第２の移動量として記録する。これを第１開口部１１において原稿Ｓを読み取り可能な範囲で繰り返すことで、制御部７に読取部３を移動させる複数のタイミングと、それに対応する複数の移動量を記録する。
【００４３】
本実施形態では、上記のように、読取部３を移動させる複数のタイミングと複数の移動量が記録された制御部７、読取部３、駆動部４、計数部６等により、イメージセンサー３２を透光シート１４に対して移動させるイメージセンサー移動手段が構成されている。なお、透光シート１４や原稿押さえ部の耐久性等の条件によっては、制御部７に記録する所定のタイミング及び所定の移動量は、それぞれ１つずつであってもよい。
【００４４】
以下、本実施形態の読取装置ＳＣＮの作用について説明すると共に、本実施形態の読取装置ＳＣＮを用いた読取方法について説明する。
まず、読取部３を静止させた状態で、搬送部５によって原稿Ｓを搬送して原稿Ｓを読み取る搬送読取モードについて説明する。
【００４５】
図４に示すように、制御部７は、搬送読取モードにおいて、駆動部４に対して制御信号Ｃ４を送信して駆動部４を駆動させる。そして、読取部３を、図３（ａ）に示す第１開口部１１と第２開口部１２との間の初期位置から、図３（ｂ）に示す第１開口部１１の下方の最初の読取位置へ移動させる。次いで、制御部７は、読取部３を静止させた状態で、図４に示すように、制御信号Ｃ５を送信して搬送部５を駆動させる。そして、図１に示すカバー部２の不図示の原稿トレイに配置された原稿Ｓを搬送部５によって搬送する。
【００４６】
搬送部５によって搬送された原稿Ｓは、図３（ｂ）に示すように、第１開口部１１に配置された透光シート１４と摺接しつつ、静止した状態の読取部３に対して移動する。この際、制御部７は、図４に示すように、読取部３に制御信号Ｃ３を送信して光源３１から光を照射させると共に、読取部３からイメージセンサー３２の出力信号Ｄ３を受信する。このように、読取部３の光源３１から照射され、原稿Ｓに反射したＲ，Ｇ，Ｂの光を、透光シート１４を介してイメージセンサー３２により検出することで、原稿Ｓが読み取られる。制御部７は、原稿Ｓの搬送毎に、原稿Ｓのサイズ（搬送方向の長さ）、搬送数（読取数）、及び搬送量を記録し、予め設定された第１の読取数及び搬送量と比較する。
【００４７】
制御部７は、読取装置ＳＣＮによる原稿Ｓの読み取りを繰り返し行ううちに、読取数（読み取った原稿Ｓのサイズが複数の場合には搬送量）が、イメージセンサー３２を移動させる第１のタイミングを規定する予め記録された読取数又は搬送量に達すると、図４に示すように、制御信号Ｃ４を送信して駆動部４を駆動させる。そして、読取部３を原稿Ｓの搬送方向の下流側へ、予め記録された第１の移動量、移動させる。
【００４８】
これにより、透光シート１４と原稿Ｓとが摺接を繰り返して、透光シート１４の光の透過率が低下し、イメージセンサー３２において所定の読取精度が得られなくなる前に、図３（ｃ）に示すように、読取部３のイメージセンサー３２を透光シート１４の光の透過率が低下していない部分の下方の第２の読取位置に移動させることができる。したがって、イメージセンサー３２に対して原稿Ｓを移動させる場合であっても、読取精度の低下を防止することができる。
【００４９】
制御部７は、読取部３を第２の読取位置へ移動させた後、読取装置ＳＣＮによる原稿Ｓの読み取りを繰り返し行ううちに、原稿Ｓの読取数又は搬送量が、イメージセンサー３２を移動させる第２のタイミングを規定する予め記録された第２の読取数又は搬送量に達すると、図４に示すように、制御信号Ｃ４を送信して駆動部４を駆動させる。そして、読取部３を原稿Ｓの搬送方向の下流側へ、予め記録された第２の移動量、移動させる。
【００５０】
これにより、透光シート１４と原稿Ｓとが繰り返し摺接して、透光シート１４の光の透過率が低下した部分が搬送方向の下流側に拡大し、イメージセンサー３２において所定の読取精度が得られなくなる前に、読取部３の読取位置を図３（ｃ）に示す第２の読取位置よりもさらに下流側に移動させることができる。そして、読取部３のイメージセンサー３２を、透光シート１４の光の透過率が低下していない部分の下方の第３の読取位置に移動させることができる。したがって、透光シート１４の光の透過率が低下した部分が搬送方向の下流側に拡大していく場合であっても、読取精度の低下を防止することができる。
【００５１】
次に、原稿Ｓを静止させた状態で、読取部３を走査させて原稿Ｓを読み取る走査読取モードについて説明する。
まず、図１に示すカバー部２を開き、原稿支持部１の第２開口部１２に配置された載置ガラス１５上の所定の位置に原稿Ｓをセットする。その後、カバー部２を閉じて、カバー部２と載置ガラス１５との間に原稿Ｓを保持する。そして、読取装置ＳＣＮの不図示の操作パネルの読取ボタン等を押して、読取を開始する。
【００５２】
すると、図４に示すように、制御部７は、駆動部４に対して制御信号Ｃ４を送信して、駆動部４を駆動させる。そして、読取部３を、図３（ａ）に示す第１開口部１１と第２開口部１２との間の初期位置から、図３（ｄ）に示すように、第２開口部１２の方向へ移動させる。次いで、制御部７は、制御信号Ｃ４を送信して駆動部４を駆動させ、読取部３を載置ガラス１５上の原稿Ｓに対して移動させながら、読取部３のイメージセンサー３２の出力信号Ｄ３を受信する。そして、読取部３を初期位置側の原稿Ｓの端部から反対側の端部まで走査する。これにより、載置ガラス１５上にセットされた原稿Ｓを読み取ることができる。
【００５３】
尚、この発明は上述した実施形態に限られるものではなく、本発明の趣旨を逸脱しない範囲で種々変形して実施することができる。
【符号の説明】
【００５４】
３  読取部（イメージセンサー移動手段）、４  駆動部（イメージセンサー移動手段）、５  搬送部、６  計数部（イメージセンサー移動手段）、７  制御部（イメージセンサー移動手段）、１１  第１開口部（開口部）、１３  筐体、１４  透光シート（透光部材）、３２  イメージセンサー、３３  キャリッジ、Ｓ  原稿（読取対象）、ＳＣＮ  読取装置
【図１】
2011160252.tif 000003
【図２】
2011160252.tif 000004
【図３】
2011160252.tif 000005
【図４】
2011160252.tif 000006